(57)【要約】【課題】手動式巻取軸を、紐状部材が設けられている電動式巻取軸に改修する作業が円滑に行えるようになるシャッター装置の改修方法を提供すること。【解決手段】手動式巻取軸から、内部に収納された開閉機の電動モータの駆動力により回転する電動式巻取軸２０に改修する作業工程は、前記手動式巻取軸をこの手動式巻取軸を支持していた支持用ブラケット７から取り外す作業工程と、残された前記支持用ブラケット７に孔３６を形成する作業工程と、前記電動式巻取軸２０の回転が停止しているときに、前記開閉機のブレーキをオン、オフ切り替え操作するための前記電動式巻取軸２０から延びる紐状部材である切替部材３５を前記孔３６に挿通するとともに、前記電動式巻取軸２０を前記支持用ブラケット７の軸受け部９に支持させる作業工程と、を含む。【選択図】図８
2012251332.tif 000002
【特許請求の範囲】
【請求項１】
シャッターカーテンを巻き取り、繰り出すための手動式巻取軸を、内部に電動モータとこの電動モータを制動するためのブレーキとを含んで構成された開閉機が収納されていて前記電動モータの駆動力により回転する電動式巻取軸に改修するためのシャッター装置の改修方法において、
前記手動式巻取軸をこの手動式巻取軸を支持していた支持用ブラケットから取り外す作業工程と、残された前記支持用ブラケットに孔を形成する作業工程と、前記電動式巻取軸から延びる紐状部材を前記孔に挿通するとともに、前記電動式巻取軸を前記支持用ブラケットに支持させる作業工程と、を含むことを特徴とするシャッター装置の改修方法。
【請求項２】
請求項１に記載のシャッター装置の改修方法において、前記紐状部材は、前記電動式巻取軸の回転が停止しているときに、前記ブレーキをオン、オフ切り替え操作するための切替部材であることを特徴とするシャッター装置の改修方法。
【請求項３】
請求項１又は２に記載のシャッター装置の改修方法において、前記紐状部材は、前記開閉機に接続された電気コードであることを特徴とするシャッター装置の改修方法。
【請求項４】
請求項１〜３のいずれかに記載のシャッター装置の改修方法において、前記孔は、前記支持用ブラケットで支持されたときの前記電動式巻取軸の延長線と一致又は略一致している箇所に形成することを特徴とするシャッター装置の改修方法。
【請求項５】
請求項１〜４のいずれかに記載のシャッター装置の改修方法において、前記支持用ブラケットには、前記電動式巻取軸の端部が受けられる軸受け部が設けられており、前記孔は、前記支持用ブラケットにおける前記紐状部材が前記軸受け部に邪魔されない箇所に形成することを特徴とするシャッター装置の改修方法。
【請求項６】
請求項３〜５のいずれかに記載のシャッター装置の改修方法において、前記切替部材は前記電動式巻取軸の一方の端部から延び、前記電気コードは前記電動式巻取軸の他方の端部から延びており、前記手動式巻取軸の両方の端部を支持していた一対の前記支持用ブラケットのうち、一方の前記支持用ブラケットと、他方の前記支持用ブラケットのそれぞれに前記孔を形成した後、前記一方の支持用ブラケットに形成した前記孔に前記切替部材を挿通するとともに、前記他方の支持用ブラケットに形成した前記孔に前記電気コードを挿通することを特徴とするシャッター装置の改修方法。
【請求項７】
請求項１〜６のいずれかに記載のシャッター装置の改修方法において、残された前記支持用ブラケットに前記孔を形成する前記作業工程の後に、案内部材を前記孔に嵌入する作業工程が実施され、この後、前記案内部材の内部孔に前記紐状部材を挿通するとともに、前記電動式巻取軸を前記支持用ブラケットに支持させる作業工程が実施されることを特徴とするシャッター装置の改修方法。
【請求項８】
請求項７に記載のシャッター装置の改修方法において、前記案内部材は、前記支持用ブラケットよりも軟質の材料で形成されていて、開口した部分を有する断面略コ字状であって長さ寸法が前記孔の周寸法と同じ又は略同じとなっており、前記案内部材を前記孔に嵌入する前記作業工程は、この案内部材の開口した部分を前記孔の縁部に沿って嵌入するものであることを特徴とするシャッター装置の改修方法。
【請求項９】
請求項１〜６のいずれかに記載のシャッター装置の改修方法において、残された前記支持用ブラケットに前記孔を形成する前記作業工程の後に、前記紐状部材の配線方向にしたがって湾曲した湾曲部を有している案内部材の一部を前記孔に嵌入するとともに、前記案内部材を止め具により前記支持用ブラケットに止める作業工程が実施され、この後、前記案内部材の内部孔に前記紐状部材を挿通するとともに、前記電動式巻取軸を前記支持用ブラケットに支持させる作業工程が実施されることを特徴とするシャッター装置の改修方法。
【発明の詳細な説明】
【技術分野】
【０００１】
本発明は、シャッターカーテンを巻き取り、繰り出すための手動式巻取軸を、電動モータの駆動力で回転する電動式巻取軸に改修するためのシャッター装置の改修方法に係り、例えば、窓用シャッター装置や出入口用シャッター装置を含む各種のシャッター装置に利用できるものである。
【背景技術】
【０００２】
窓サッシの外側に配設される窓用シャッター装置では、巻取軸がシャッターカーテンの巻き取り、繰り出しのための回転を行うことにより、シャッターカーテンは上下に開閉移動する。巻取軸が、シャッターカーテンを手や操作棒等により人為的に上下動させることによる手動によって回転する手動式巻取軸となっているシャッター装置については、シャッター装置の取り扱い容易化や高品質化等のため、この手動式巻取軸を、電動モータの駆動力で回転する電動式巻取軸に改修することが求められる場合があり、このような改修に対処できる先行技術として、下記の特許文献１に示されている技術が知られている。
【０００３】
この先行技術では、電動モータとこの電動モータを制動するためのブレーキとを含んで構成される開閉機が電動式巻取軸の内部に収納されているとともに、手動式巻取軸を支持していた支持用ブラケットと、この支持用ブラケットに手動式巻取軸の端部を受けるために設けられている軸受け部とがそのまま残され、手動式巻取軸を電動式巻取軸に交換しても、巻取軸を支持するための上記支持用ブラケットを交換することを不要にしている。
【先行技術文献】
【特許文献】
【０００４】
【特許文献１】特開２００４−２５７０６３号公報
【発明の概要】
【発明が解決しようとする課題】
【０００５】
ところで、上述したように、シャッター装置を手動式から電動式に改修する場合においては、電動式巻取軸を支持用ブラケットに支持させる作業を行うときに、この電動式巻取軸に設けられている電源線（電源ケーブル）等の紐状部材が上記作業の妨げとなるおそれがあり、このため、上記作業の際に電動式巻取軸の紐状部材をどう取り扱うかは、シャッター装置の改修作業の円滑化を図る上で重要なことである。
【０００６】
このため、手動式巻取軸を、紐状部材が設けられている電動式巻取軸に改修する作業を円滑に行うための工夫が求められている。
【０００７】
本発明の目的は、手動式巻取軸を、紐状部材が設けられている電動式巻取軸に改修する作業が円滑に行えるようになるシャッター装置の改修方法を提供するところにある。
【課題を解決するための手段】
【０００８】
本発明に係るシャッター装置の改修方法は、シャッターカーテンを巻き取り、繰り出すための手動式巻取軸を、内部に電動モータとこの電動モータを制動するためのブレーキとを含んで構成された開閉機が収納されていて前記電動モータの駆動力により回転する電動式巻取軸に改修するためのシャッター装置の改修方法において、前記手動式巻取軸をこの手動式巻取軸を支持していた支持用ブラケットから取り外す作業工程と、残された前記支持用ブラケットに孔を形成する作業工程と、前記電動式巻取軸から延びる紐状部材を前記孔に挿通するとともに、前記電動式巻取軸を前記支持用ブラケットに支持させる作業工程と、を含むことを特徴とするものである。
【０００９】
本発明では、前記手動式巻取軸をこの手動式巻取軸を支持していた支持用ブラケットから取り外す作業工程が実施された後に、残された前記支持用ブラケットに孔を形成する作業工程が実施され、この後、前記電動式巻取軸から延びる紐状部材を前記孔に挿通するとともに、前記電動式巻取軸を前記支持用ブラケットに支持させる作業工程が実施される。
【００１０】
すなわち、本発明では、前記電動式巻取軸から延びる前記紐状部材を挿通するための孔を前記支持用ブラケットに形成する作業工程は、前記手動式巻取軸をこの手動式巻取軸を支持していた前記支持用ブラケットから取り外す作業工程の後であって、前記電動式巻取軸から延びる前記紐状部材を前記孔に挿通するとともに、前記電動式巻取軸を前記支持用ブラケットに支持させる作業工程の前に実施される。
【００１１】
これにより、作業者は、手動式巻取軸及び電動式巻取軸が存在しない空間で、残された前記支持用ブラケットに前記孔を形成する作業を円滑に（言い換えると、容易に）行うことができる。
【００１２】
このため、本発明によると、手動式巻取軸を、紐状部材が設けられている電動式巻取軸に改修する作業が円滑に行えるようになる。
【００１３】
また、本発明では、残された前記支持用ブラケットに前記孔を形成する作業工程が実施された後に、前記電動式巻取軸から延びる前記紐状部材を前記孔に挿通するとともに、前記電動式巻取軸を前記支持用ブラケットに支持させる作業工程が実施される。
【００１４】
ここで、前記電動式巻取軸から延びる前記紐状部材を前記孔に挿通する作業は、前記電動式巻取軸を前記支持用ブラケットに支持させる作業の前に実施されるものでもよく、前記電動式巻取軸を前記支持用ブラケットに支持させる作業の後に実施されるものでもよい。
【００１５】
後述するように、前記支持用ブラケットに前記孔を形成する箇所を、前記支持用ブラケットで支持されたときの前記電動式巻取軸の延長線と一致又は略一致している箇所とした場合には、前者の作業順序（前記紐状部材を前記孔に挿通する作業を、前記電動式巻取軸を前記支持用ブラケットに支持させる作業の前に実施する）を採用することが好ましい。これにより、改修作業の効率化が図れるようになる。
【００１６】
本発明において、電動式巻取軸から延びる紐状部材とは、例えば、前記電動式巻取軸の回転が停止しているときに、前記ブレーキをオン、オフ切り替え操作するための切替部材、すなわち、停電時等の非常時に、シャッター装置を電動式から手動式（手動でシャッターカーテンを開閉操作する方式）に切り替えるための切替部材でもよく、前記開閉機に接続された電気コード（電線）でもよく、これら切替部材と電気コードの両方でもよい。
【００１７】
なお、電気コードとは、例えば、開閉機に電源を供給するための電源線（電源ケーブル）でもよく、アース線でもよく、開閉機（具体的には、開閉機に設けられ、電動モータの駆動制御とブレーキのオン、オフの電気的制御等を行うための制御装置）に制御信号を送出するための信号線（信号ケーブル）でもよく、これら電源線、アース線、信号線の複合でもよい。
【００１８】
以上の本発明において、前記支持用ブラケットに前記孔を形成する箇所は、任意であるが、前記孔は、前記支持用ブラケットで支持されたときの前記電動式巻取軸の延長線と一致又は略一致している箇所に形成することが好ましい。
【００１９】
これによると、電動式巻取軸の内部に収納された開閉機から延びる紐状部材を、前記孔まで、電動式巻取軸の軸方向に延びた状態とすることができる。これにより、紐状部材が特に前記切替部材である場合には、電動式巻取軸の軸方向（左右方向）にスムーズにスライド動作させることができる。
【００２０】
なお、電動式巻取軸の延長線とは、電動式巻取軸の延長軸線でもよく、電動式巻取軸の軸線から巻取軸の径方向にずれた延長線でもよい。
【００２１】
以上の本発明において、残された前記支持用ブラケットには、前記電動式巻取軸の端部が受けられる軸受け部が設けられていてもよく、設けられていなくてもよい。
【００２２】
前者の場合には、前記孔は、前記支持用ブラケットにおける前記紐状部材が前記軸受け部に邪魔されない箇所に形成することが好ましい。
【００２３】
これによると、電動式巻取軸の内部に収納された開閉機から延びる紐状部材を、前記孔まで、電動式巻取軸の軸方向に延びた状態とすることができる。これにより、紐状部材が特に前記切替部材である場合には、電動式巻取軸の軸方向（左右方向）にスムーズにスライド動作させることができる。
【００２４】
ここで、前記軸受け部は、残された前記支持用ブラケットに設けられていた軸受け部、すなわち、手動式のシャッター装置のときから前記手動式巻取軸の軸部が受けられていた既存の軸受け部でもよく、残された前記支持用ブラケットに設けられていた前記軸受け部を取り外して交換した新たな軸受け部でもよい。なお、残された前記支持用ブラケットに軸受け部が設けられていなかった場合には、前記軸受け部は、残された前記支持用ブラケットに新たに設けた軸受け部となる。
【００２５】
また、前記軸受け部の形状、構造は任意なものでよく、その一例として、底部とこの底部の両端から立ち上がった立上部とを有する上向きに開口したコ字形状となっている軸受け部本体と、この軸受け部本体における前記支持用ブラケットの側の端部から前記電動式巻取軸の外径方向に突出し、前記支持用ブラケットに結合されているフランジ部と、を有しているものを挙げることができる。
【００２６】
前記軸受け部が、上述した形状、構造を有している場合には、前記紐状部材が挿通される前記孔は、前記支持用ブラケットにおける前記軸受け部本体の前記底部と前記立上部とで囲まれた箇所に形成することが好ましい。
【００２７】
なお、前記電動式巻取軸の端部は、前記支持用ブラケットに設けた別部材（前記電動式巻取軸の端部と前記支持用ブラケットとの間に前記軸受け部によって邪魔されないで介入した中間構成体）で受けられる（支持される）ようにしてもよい。
【００２８】
以上の本発明において、前記紐状部材が、前記切替部材と前記電気コードの両方である場合には、前記切替部材と前記電気コードの両方が、前記電動式巻取軸の一方の端部から延びるようにしてもよく、前記切替部材は前記電動式巻取軸の一方の端部から延び、前記電気コードは前記電動式巻取軸の他方の端部から延びるようにしてもよい。
【００２９】
後者の場合には、前記手動式巻取軸の両方の端部を支持していた一対の前記支持用ブラケットのうち、一方の前記支持用ブラケットと、他方の前記支持用ブラケットのそれぞれに前記孔を形成した後、前記一方の支持用ブラケットに形成した前記孔に前記切替部材を挿通するとともに、前記他方の支持用ブラケットに形成した前記孔に前記電気コードを挿通する。
【００３０】
本発明において、残された前記支持用ブラケットに前記孔を形成する前記作業工程の後に、案内部材を前記孔に嵌入する作業工程が実施され、この後、前記案内部材の内部孔に前記紐状部材を挿通するとともに、前記電動式巻取軸を前記支持用ブラケットに支持させる作業工程が実施されるようにしてもよい。
【００３１】
これによると、前記紐状部材が前記孔を通過する際に、この紐状部材が前記孔と擦れて損傷することを、前記案内部材により防止することができる。すなわち、前記孔と擦れることによる紐状部材の耐久性の低下を防止することができる。特に前記紐状部材がスライド動作する前記切替部材である場合には、この切替部材の耐久性の低下を効果的に防止することができる。
【００３２】
前記案内部材の形状、構造は任意なものでよく、その一例として、前記支持用ブラケットよりも軟質の材料で形成されていて、開口した部分を有する断面略コ字状であって長さ寸法が前記孔の周寸法と同じ又は略同じとなっており、前記案内部材を前記孔に嵌入する前記作業工程は、この案内部材の開口した部分を前記孔の縁部に沿って嵌入するものを挙げることができる。
【００３３】
本発明において、前記案内部材は、前記紐状部材の配線方向にしたがって湾曲した湾曲部を有しているものとしてもよい。
【００３４】
この場合には、残された前記支持用ブラケットに前記孔を形成する前記作業工程の後に、前記紐状部材の配線方向にしたがって湾曲した湾曲部を有している案内部材の一部を前記孔に嵌入するとともに、前記案内部材を止め具により前記支持用ブラケットに止める作業工程が実施され、この後、前記案内部材の内部孔に前記紐状部材を挿通するとともに、前記電動式巻取軸を前記支持用ブラケットに支持させる作業工程が実施されるようにしてもよい。
【００３５】
これによると、前記紐状部材が前記孔を通過する際に、この紐状部材が前記孔と擦れて損傷することを、前記案内部材により防止することができるだけでなく、前記案内部材の前記湾曲部による湾曲案内作用により、前記紐状部材を所定方向に湾曲させて配線することができる。特に前記紐状部材がスライド動作する前記切替部材である場合には、この切替部材の耐久性の低下を効果的に防止することができるだけでなく、前記紐状部材による前記ブレーキのオン、オフ切り替え操作がより円滑に行われるようになる。
【００３６】
なお、前記案内部材の前記内部孔の内周面は滑面となっていることが好ましい。
【００３７】
なお、前記支持用ブラケットに前記案内部材を設けない場合には、前記支持用ブラケットに形成した前記孔の内周面（前記孔の縁部を含む）を滑面とすることが好ましい。
【００３８】
以上の本発明において、電動式巻取軸で巻き取られ、繰り出されるシャッターカーテンが複数種類のシャッターカーテン構成部材の複合により形成されていてもよく、これらの複数種類のシャッターカーテン構成部材は、スラットでもよく、シートでもよく、ネットでもよく、リンクで連結されたパイプ、パネル等でもよい。
【００３９】
また、本発明は、シャッターカーテンが巻取軸で巻き取られ、繰り出される各種のシャッター装置に適用することができ、その一例のシャッター装置は窓用シャッター装置であり、また、本発明は、出入口をシャッターカーテンで開閉する出入口用シャッター装置等にも適用することができる。
【発明の効果】
【００４０】
本発明によると、手動式巻取軸を、紐状部材が設けられている電動式巻取軸に改修する作業が円滑に行えるようになるという効果が得られる。
【図面の簡単な説明】
【００４１】
【図１】図１は、本発明の一実施形態が適用される窓用シャッター装置の全体を示す正面図である。
【図２】図２は、図１で示されている手動式巻取軸の端部が支持用ブラケットで支持されている構造を示す斜視図である。
【図３】図３は、図２の支持構造を示す分解斜視図である。
【図４】図４は、手動式巻取軸から改修される電動式巻取軸の構造を示す正断面図である。
【図５】図５は、電動式巻取軸に改修された後の窓用電動式シャッター装置の一部を示す正面図である。
【図６】図６は、図５のＳ６−Ｓ６線断面図である。
【図７】図７は、電動式巻取軸における図４の右側の端部の支持用ブラケットによる支持構造を示す斜視図である。
【図８】図８は、図７の支持構造を示す分解斜視図である。
【図９】図９は、電動式巻取軸の内部に収納されていて、電動モータが構成要素となっている開閉機が、中間構成体を介して図４の左側の支持用ブラケットで支持されている構造を示す正面図である。
【図１０】図１０は、図９の支持構造を示す平面図である。
【図１１】図１１は、図９のＳ１１−Ｓ１１線断面図である。
【図１２】図１２は、図９のＳ１２−Ｓ１２線断面図である。
【図１３】図１３は、図９〜図１２に示されている紐状部材である開閉機の電源線を支持用ブラケットに通すためにこの支持用ブラケットに設けられる案内部材の実施形態を示す正断面図である。
【図１４】図１４は、図１３の案内部材とは異なる別実施形態に係る案内部材を示す正断面図である。
【図１５】図１５は、図１３及び図１４の案内部材とは異なるさらなる別実施形態に係る案内部材の斜視図である。
【図１６】図１６は、支持用ブラケットに形成された孔に図１５の案内部材の開口した部分を嵌入する作業状態を示す斜視図である。
【図１７】図１７は、図９で示されている中間構成体のうち、開閉機の側となっている第１中間物を構成するそれぞれの部材を示す分解斜視図である。
【図１８】図１８は、図９で示されている中間構成体のうち、支持用ブラケットの側となっている第２中間物を構成するそれぞれの部材を示す分解斜視図である。
【図１９】図１９は、第１中間物の正面図である。
【図２０】図２０は、第１中間物の側面図である。
【図２１】図２１は、第２中間物の正面図である。
【図２２】図２２は、第２中間物の側面図である。
【図２３】図２３は、図４の左側の支持用ブラケットに設けられている軸受け部を示す側面図である。
【図２４】図２４は、図２３の軸受け部に適用される部材であって、図１８で示されている第２中間物を構成するものとなっている部材を示す側面図である。
【図２５】図２５は、図２３の軸受け部とは形状等が異なる別の軸受け部を示す側面図である。
【図２６】図２６は、図２５の軸受け部に適用される部材であって、図２４の部材に対応している部材を示す側面図である。
【図２７】図２７は、図７及び図８に示されている紐状部材である切替部材を支持用ブラケットに通すためにこの支持用ブラケットに設けられる案内部材の実施形態を示す正断面図である。
【図２８】図２８は、図２７の案内部材とは異なる別実施形態に係る案内部材を示す正断面図である。
【発明を実施するための形態】
【００４２】
以下に本発明を実施するための形態を図面に基づいて説明する。図１には、本発明の一実施形態が適用される窓用シャッター装置の全体正面図が示されている。図１に示されているこの窓用シャッター装置は、電動式シャッター装置に改修される前の手動式シャッター装置である。
【００４３】
図１の手動式の窓用シャッター装置は、障子１が配設された窓サッシよりも外側の建物外壁２の部分に設置され、この窓用シャッター装置の手動用シャッターカーテン３は、左右一対のガイドレール４に案内されて上下に開閉移動することにより、窓サッシの外側の窓用開口部を開閉する。この窓用開口部の上部にはシャッターケース５が配設され、このシャッターケース５の内部に水平に収納されている手動式巻取軸６にシャッターカーテン３の上端が連結されているとともに、この手動式巻取軸６は、左右一対の支持用ブラケット７，８で回転自在に支持されている。
【００４４】
なお、シャッターケース５は、本体５Ａと、この本体５Ａの左右両端を塞いでいる左右一対の蓋部材５Ｂ，５Ｃとからなる。上面部（天板部）と、正面部と、底面部（底板部）と、を含んで構成されるこのシャッターケース５の本体５Ａは、前記窓用開口部の前記上部に取り付けられた状態で少なくとも底面部が取り外し可能となっている。
【００４５】
シャッターカーテン３の下端の座板３Ａ等を手等による手動で押し上げると、シャッターカーテン３は巻取軸６に巻き取られて上方へ開き移動し、座板３Ａ等を押し下げると、シャッターカーテン３は巻取軸６から繰り出されて下方へ閉じ移動する。また、巻取軸６の内部には、シャッターカーテン３が巻取軸６から繰り出されるときに戻しばね力が蓄圧されるねじりコイルばねによる戻しばねが収納されており、このため、シャッターカーテン３が巻取軸６に巻き取られて上方へ開き移動することは、この戻しばねの戻しばね力によって補助されて行われる。
【００４６】
左右一対の支持用ブラケット７，８による巻取軸６の支持は、巻取軸６の軸方向両端の端部となっている軸部６Ａ，６Ｂが、これらのブラケット７，８に設けられている軸受け部９，１０で支持されることにより行われている。図２には、支持用ブラケット７，８のうち、一方のブラケット８の軸受け部１０による巻取軸６の軸部６Ｂの支持構造が示されており、他方のブラケット７及び軸受け部９と、この軸受け部９による巻取軸６の軸部６Ａの支持構造は、図２で示されているものと左右対称の同じものになっている。
【００４７】
次に、手動式巻取軸６の構造及び図２の支持構造を説明する。前述したように手動式巻取軸６の内部には、シャッターカーテン３が巻取軸６から繰り出されるときに戻しばね力が蓄圧される戻しばねが収納されているため、図２で示されている軸部６Ｂは、巻取軸６の内部に端部を残して挿入されている非回転軸のこの端部により形成され、この非回転軸との間に軸受け部材が介設されている巻取軸６は、この非回転軸を中心に回転自在となっている。また、この非回転軸又は上記軸部６Ａを形成している別の非回転軸には、巻取軸６の内部に収納されている戻しばねの一端が連結され、戻しばねの他端は巻取軸６に連結されている。このため、上述のように、シャッターカーテン３が巻取軸６から繰り出されるときには、巻取軸６の回転により戻しばねに戻しばね力が蓄圧され、シャッターカーテン３が巻取軸６に巻き取られるときの巻取軸６の回転は、戻しばね力によって補助される。
【００４８】
図２に示されているように、板金製のブラケット８は、ブラケット本体８Ａと、このブラケット本体８Ａの補強のためにも設けられている後端折曲部８Ｂと、下端折曲部８Ｃとを有するものとなっており、後端折曲部８Ｂが図１で示した建物外壁２にアンカー部材等の結合具で結合されることにより、ブラケット８は建物外壁２に固定されている。そして、ブラケット本体８Ａには、巻取軸６の軸部６Ｂを受けて支持するための上記軸受け部１０が設けられている。
【００４９】
この軸受け部１０は、板金の折り曲げ品となっている１個の軸受け部材で形成されており、また、軸受け部１０は、軸受け部本体１６と、この軸受け部本体１６におけるブラケット本体８Ａの側から巻取軸６の外径方向に突出しているフランジ部１７とからなる。軸受け部本体１６は、底部１６Ａと、この底部１６Ａの両端から立ち上がった立上部１６Ｂ，１６Ｃとを有するため、上向きに開口したコ字形状となっている。また、フランジ部１７は、軸受け部本体１６の下部から、言い換えると底部１６Ａから下方へ突出する第１突出部１７Ａと、軸受け部本体１６の両側部から、言い換えると立上部１６Ｂ，１６Ｃから水平方向又は略水平方向に突出する２個の第２突出部１７Ｂ，１７Ｃとからなり、これらの第１及び第２突出部１７Ａ〜１７Ｃがブラケット本体８Ａに溶接又はリベット等の結合具で結合されることにより、上記軸受け部材によって形成されている軸受け部１０が支持用ブラケット８に設けられていることになる。
【００５０】
図３に示されているように、軸受け部本体１６の立上部１６Ｂ，１６Ｃと巻取軸６の軸部６Ｂには、孔１１〜１３が形成され、軸部６Ｂを軸受け部本体１６に挿入した後に、これらの孔１１〜１３にボルト１４を挿入し、立上部１６Ｃの孔１３から突出したボルト１４の軸端にナット１５を螺合することにより、手動式巻取軸６の端部を形成している軸部６Ｂは、非回転状態となって軸受け部１０の軸受け部本体１６で支持されることになる。
【００５１】
図４は、窓用手動式シャッター装置を窓用電動式シャッター装置に改修するために、手動式巻取軸６から交換される電動式巻取軸２０を示している。この電動式巻取軸２０における支持用ブラケット８の側の端部２０Ｂの内部には、開閉機２１が収納されている。この開閉機２１は、電動モータ２１Ｃと、この電動モータ２１Ｃを制動するためのブレーキ２１Ｄと、これら電動モータ２１Ｃの駆動制御とブレーキ２１Ｄのオン、オフの電気的制御を行う制御装置２１Ｂと、を含んで構成されている。紐状部材となっている電源コードである電源線（アース線を含んでいてもよく、含んでいなくてもよい）３９は、上述した各装置に電源を供給するためのものであり、この電源線３９は、図４に示されているように、電動式巻取軸２０における一方の端部である支持用ブラケット８側の端部２０Ｂから延びている。開閉機２１のブレーキ２１Ｄは、後述するように、巻取軸２０が電動モータ２１Ｃの回転駆動力により回転してシャッターカーテン３が全開位置や全閉位置に達したことが巻取軸２０の図示しない回転数検出センサ等で検出されて、この検出信号が図示しない信号線を経由して制御装置２１Ｂに入力したときや、電動モータ２１Ｃの回転や停止を操作するための操作装置からの停止信号が前記信号線を経由してこの制御装置２１Ｂに入力したときに、電動モータ２１Ｃの出力部材の回転駆動を停止させて巻取軸２０を回転停止状態とするためのものである。
【００５２】
開閉機２１には、電動モータ２１Ｃの出力部材の回転駆動により回転するリング状の駆動部材２２が設けられ、この駆動部材２２の円周方向に複数形成されている溝２２Ａに、巻取軸２０の内面に設けられている突起２０Ａが挿入されているため、駆動部材２２と巻取軸２０は、巻取軸２０の回転方向に連結されている。このため、電動モータ２１Ｃの出力部材の回転駆動により駆動部材２２が回転すると、巻取軸２０は回転することになる。また、開閉機２１の外周には、巻取軸２０と一体となって回転するリング状の従動部材２３が嵌合され、電動モータ２１Ｃの回転駆動力による巻取軸２０の回転は、この従動部材２３が、巻取軸２０と開閉機２１との間の回転軸受け部材となって行われる。
【００５３】
一方、電動式巻取軸２０における支持用ブラケット７の側の端部の内部には、戻しばねユニット２４が挿入されている。この戻しばねユニット２４は、非回転の中心軸２５と、この中心軸２５に軸受け部材２６で回転自在に配置された２個のホイール部材２７と、これらのホイール部材２７の間に配設されたねじりコイルばねによる２個の戻しばね２８とを含んで構成されている。それぞれのホイール部材２７は巻取軸２０にリベット等で結合され、また、それぞれの戻しばね２８の一端は連結具２９Ａで中心軸２５に連結されているとともに、他端は連結具２９Ｂでそれぞれのホイール部材２７に連結されている。
【００５４】
このため、電動式巻取軸２０に後述する電動用シャッターカーテンの上端が連結された後に、この電動用シャッターカーテンを巻き取っている電動式巻取軸２０が、電動モータ２１Ｃの回転駆動力により非回転の中心軸２５を中心に回転して電動用シャッターカーテンが繰り出されたときには、戻しばね２８に戻しばね力が蓄圧され、この戻しばね力は、電動式巻取軸２０が電動モータ２１Ｃの回転駆動力により逆回転して電動用シャッターカーテンを巻き取るときに、補助力として利用される。
【００５５】
本実施形態では、図４に示されているように、中心軸２５の軸端部２５Ａは巻取軸２０から突出しており、このため、この軸端部２５Ａは、電動式巻取軸２０における支持用ブラケット７の側の端部を形成しており、また、この軸端部２５Ａは、手動式巻取軸６のときにも使用されていたこの支持用ブラケット７の軸受け部９で支持されている。そして、これらの軸端部２５Ａと軸受け部９は、図７及び図８で示されているように、図３及び図４で説明したと同様な構造により、ボルト１４及びナット１５により連結されている。
【００５６】
このため、本実施形態では、電動式巻取軸２０における支持用ブラケット７の側の端部を形成している中心軸２５の軸端部２５Ａを支持するためにも、窓用手動式シャッター装置における既存の支持用ブラケット７と、この支持用ブラケット７のブラケット本体７Ａに設けられている既存の軸受け部９が用いられている。
【００５７】
なお、既存の支持用ブラケット７のブラケット本体７Ａと中心軸２５の軸端部２５Ａとの間に、既存の軸受け部９によって邪魔されないでブラケット本体７Ａと中心軸２５の軸端部２５Ａとを連結するための中間構成体を介入してもよい。
【００５８】
図９には、図２及び図３で説明した支持用ブラケット８に、電動式巻取軸２０における支持用ブラケット８の側の端部２０Ｂを連結支持させるための構造が示されており、図９は、この構造の正面図であり、図１０は、この構造の平面図である。電動式巻取軸２０におけるこの支持用ブラケット８の側の端部２０Ｂは、中間構成体３０により支持用ブラケット８のブラケット本体８Ａに連結支持されている。一層具体的には、電動式巻取軸２０の内部に収納固定されている開閉機２１における支持用ブラケット８の側の端部２１Ａは、この巻取軸２０から露出しており、電動モータ２１Ｃが構成要素となっている開閉機２１のこの端部２１Ａが、中間構成体３０により支持用ブラケット８のブラケット本体８Ａに連結支持されることにより、電動式巻取軸２０における支持用ブラケット８の側の端部２０Ｂと、支持用ブラケット８のブラケット本体８Ａとが、開閉機２１及び中間構成体３０を介して連結支持されている。
【００５９】
したがって、前述した手動式巻取軸６から電動式巻取軸２０に改修された後でも、既存の支持用ブラケット８がそのまま用いられており、また、この支持用ブラケット８に設けられている図２及び図３で示した軸受け部１０はそのまま残されている。そして、開閉機２１と支持用ブラケット８のブラケット本体８Ａとを連結するための中間構成体３０は、後述の説明から分かるように、軸受け部１０に邪魔されずに開閉機２１と支持用ブラケット８のブラケット本体８Ａとの間に介入されている。
【００６０】
図５には、手動式巻取軸６から電動式巻取軸２０に改修された後の窓用電動式シャッター装置の正面図が示されており、本実施形態では、手動式巻取軸６から電動式巻取軸２０に改修されるときに、図１で示した手動用シャッターカーテン３は図５で示した電動用シャッターカーテン３１に改修されている。電動式巻取軸２０に上端が連結されているこの電動用シャッターカーテン３１の左右両端部は、図１で示した左右一対のガイドレール４に上下スライド自在に挿入され、このシャッターカーテン３１は、電動式巻取軸２０による巻き取り、繰り出しにより、これらのガイドレール４で案内されて上下方向に開閉移動する。そして、シャッターカーテン３１の全体は、座板等の付属的部材を除き、多数のスラット３２を上下に連設することにより形成されている。
【００６１】
図６は、図５のＳ６−Ｓ６線断面図であり、この図６に示されているように、それぞれのスラット３２の上下両端にはカール部３３が形成され、上側のスラット３２Ａの下端カール部３３Ａと、下側のスラット３２Ｂの上端カール部３３Ｂとが係合することにより、これらのスラット３２Ａ，３２Ｂは回動自在に連結されている。そして、それぞれのカール部３３は左右方向へ同一断面形状が連続するものとなっているため、左右一対のガイドレール４から外れた箇所では、すなわち、図５で示されているシャッターケース５の内部の箇所では、それぞれのスラット３２は左右方向にスライドするおそれのある状態になっている。
【００６２】
なお、図１で示した手動用シャッターカーテン３の少なくとも一部が、複数のスラットの連設で形成されているときには、本実施形態に係る上述の中間構成体３０は、手動式巻取軸６から電動式巻取軸２０に改修された後にこの手動用シャッターカーテン３を電動用シャッターカーテンとして用いる場合にも、適用することができる。
【００６３】
すなわち、少なくとも一部がスラットの連設で形成されている既存の手動用シャッターカーテン３を電動用シャッターカーテンとして用いる場合にも、本実施形態に係る中間構成体３０は適用することができる。
【００６４】
図４に示されているように、開閉機２１からはワイヤー等による紐状部材３５が導出されている。この紐状部材３５は、電動モータ２１Ｃと共に開閉機２１の構成要素となっている前述のブレーキ２１Ｄを、電動式巻取軸２０の回転が停止しているときに、オン、オフ切り替え操作するための切替部材３５となっている。すなわち、ブレーキ２１Ｄがオンとなっているために電動式巻取軸２０の回転が停止している電動用シャッターカーテン３１の全開時や全閉時等において、例えば、停電になった場合に、切替部材３５が１回引っ張り操作されると、ブレーキ２１Ｄはオフとなるため、巻取軸が手動式巻取軸６から電動式巻取軸２０に改修されていても、この電動式巻取軸２０は自由回転可能状態となり、このため、電動用シャッターカーテン３１を手動により開閉移動させることができる。また、切替部材３５がもう１回引っ張り操作されると、ブレーキ２１Ｄはオンとなるため、開閉機２１は上述の引っ張り操作前の状態に戻り、電動式巻取軸２０は自由回転不能状態となって、電動用シャッターカーテン３１を手動により開閉移動させることはできなくなる。
【００６５】
なお、紐状部材を引っ張り操作することで開閉機のブレーキをオン、オフできるようにするための機構は、既に周知となっている。例えば、特開２００４−２７８４１号公報には、紐状部材を引っ張り操作することにより、モータの駆動力を巻取軸に伝達するためのクラッチ機構が切断、連結する機構が開示されており、本実施形態も、これと同様の機構を備えたものとなっている。このため、上述した紐状部材である切替部材３５を引っ張り操作することで開閉機２１のブレーキ２１Ｄをオン、オフできるようにするための機構についての詳細な説明は省略する。
【００６６】
図４から分かるように、切替部材３５は開閉機２１から延びているとともに、この切替部材３５は、中空部材となっている前述の中心軸２５の一方の端部からこの中心軸２５の内部に挿通されている。
【００６７】
図７及び図８から分かるように、軸受け部９は、軸受け部１０と同様に、軸受け部本体１８と、この軸受け部本体１８におけるブラケット本体７Ａの側から巻取軸２０の外径方向に突出しているフランジ部１９とからなる。軸受け部本体１８は、底部１８Ａと、この底部１８Ａの両端から立ち上がった立上部１８Ｂ，１８Ｃとを有するため、上向きに開口したコ字形状となっている。また、フランジ部１９は、軸受け部本体１８の下部から、言い換えると底部１８Ａから下方へ突出する第１突出部１９Ａと、軸受け部本体１８の両側部から、言い換えると立上部１８Ｂ，１８Ｃから水平方向又は略水平方向に突出する２個の第２突出部１９Ｂ，１９Ｃとからなり、これらの第１及び第２突出部１９Ａ〜１９Ｃがブラケット本体７Ａに溶接又はリベット等の結合具で結合されることにより、上記軸受け部材によって形成されている軸受け部９が支持用ブラケット７に設けられていることになる。
【００６８】
また、図７及び図８から分かるように、支持用ブラケット７のブラケット本体７Ａにおける軸受け部本体１８の底部１８Ａと立上部１８Ｂ，１８Ｃとで囲まれた箇所のうち、電動式巻取軸２０の延長軸線と一致又は略一致している箇所には孔３６が形成されている。
【００６９】
この支持用ブラケット７は、上述した中間構成体３０が設けられている、あるいは設けられていない支持用ブラケット８とは電動式巻取軸２０の軸方向の反対側に配置されている支持用ブラケットであり、この支持用ブラケット７に孔３６が形成されている箇所は、支持用ブラケット７のブラケット本体７Ａに設けられている前述の軸受け部９に邪魔されない箇所となっている。中心軸２５の内部に挿通されてさらにこの中心軸２５の他方の端部から突出した切替部材３５は、孔３６に通されているため、切替部材３５は、軸受け部９と干渉することなく、言い換えると、軸受け部９に邪魔されることなく配線されている。
【００７０】
これ以後の切替部材３５の配線状態は、図５に示されており、切替部材３５は、図１で説明したシャッターケース５の一方の蓋部材５Ｂに形成された図示しない孔に挿通された後、この蓋部材５Ｂに取り付けられた下向きに開口したキャップ部材３７の内部に挿入される。さらに、切替部材３５は、キャップ部材３７及び蓋部材５Ｂから導出され、この切替部材３５の終端部は、左右一対のガイドレール４のうちの一方に配置された引張操作部材３８に連結されている。このため、この引張操作部材３８を引っ張り操作することにより、切替部材３５を介して開閉機２１のブレーキ２１Ｄがオン、オフ切り替えることになる。
【００７１】
上述したように、電動式巻取軸２０の回転が停止しているときに、開閉機２１のブレーキ２１Ｄをオン、オフ切り替え操作するための切替部材３５は、電動式巻取軸２０の内部において、軸受け部９に干渉されることなく、電動式巻取軸２０の軸方向（左右方向）にスムーズにスライド動作する。
【００７２】
このため、本実施形態によると、既存の支持用ブラケット７や軸受け部９を残しても、電動式巻取軸２０の回転が停止しているときには、切替部材３５による開閉機２１のブレーキ２１Ｄのオン、オフ切り替え操作が円滑に行われる。
【００７３】
前述した図４に示す開閉機２１の電源線３９は、この開閉機２１の電動モータ２１Ｃやブレーキ２１Ｄ、これらの電動モータ２１Ｃとブレーキ２１Ｄの電気的制御を行うために開閉機２１に設けられている制御装置２１Ｂまで達している。そして、この電源線３９は、電動式巻取軸２０の両端部のうちの一方の端部（支持用ブラケット８側の端部）を形成している開閉機２１の端部２１Ａから導出させた後、支持用ブラケット８のブラケット本体８Ａに連結されている中間構成体３０の内部や、ブラケット本体８Ａの軸受け部１０の軸受け部本体１６（図３参照）の内部にも挿通された後、ブラケット本体８Ａに形成されている図４に示す孔３４（図９及び図１０も参照）に挿通される。さらに、図５に示すシャッターケース５の蓋部材５Ｃに形成された図示しない孔にも挿通された後、蓋部材５Ｃに取り付けられた下向きに開口したキャップ部材４０の内部に挿入され、このキャップ部材４０の下端から導出される。
【００７４】
図１１及び図１２は、図９のＳ１１−Ｓ１１線及びＳ１２−Ｓ１２線での断面図である。図１１で示されている電源線３９を通すために支持用ブラケット８のブラケット本体８Ａに形成されている上記孔３４は、図１２に示されているように、ブラケット本体８Ａにおける電源線３９が軸受け部１０に邪魔されない箇所となっているため、電源線３９は、この軸受け部１０と干渉することなく、すなわち、軸受け部１０に邪魔されることなく配線されている。
【００７５】
なお、図面では示されていないが、手動式巻取軸６から電動式巻取軸２０に改修するときには、電動用シャッターカーテン３１を遠隔操作により開き移動、閉じ移動、移動停止させることができるようにするために、電動式窓用シャッター装置には、電動式巻取軸２０を正回転、逆回転、回転停止させるための「開」、「閉」、「停」のそれぞれのボタンが設けられている操作装置が追加される。
【００７６】
この操作装置は、電源線３９と同様に紐状部材となっている電気コードである図示されない前記信号線によって、開閉機２１の電動モータ２１Ｃの駆動制御やブレーキ２１Ｄの動作制御をするための上述した制御装置２１Ｂと接続されているもの（有線方式で接続されるもの）であるが、操作装置は、制御装置２１Ｂと無線方式で接続されるものとしてもよい。
【００７７】
なお、前記信号線は、図４に示すように、電源線３９と同様に、電動式巻取軸２０の両端部のうちの一方の端部（支持用ブラケット８側の端部）を形成している開閉機２１の端部２１Ａから導出させた後、支持用ブラケット８に形成された孔３４から導出させてもよく、他方の端部（支持用ブラケット７側の端部）を形成している軸端部２５Ａから導出させた後、支持用ブラケット７に形成された孔３６から導出させてもよい。
【００７８】
前者の場合には、支持用ブラケット８の孔３４から導出させた前記信号線は、蓋部材５Ｃに形成された孔から導出させてもよく、さらに、蓋部材５Ｃに取り付けられたキャップ部材４０から導出させてもよい。後者の場合には、支持用ブラケット７の孔３６から導出させた前記信号線は、蓋部材５Ｂに形成された孔から導出させてもよく、さらに、蓋部材５Ｂに取り付けられたキャップ部材３７から導出させてもよい。
【００７９】
図１３と図１４は、図４及び図９〜図１２で示した紐状部材である電源線３９を支持用ブラケット８に設けた孔３４に通すことに関する別実施形態を示している。
【００８０】
図１３の実施形態では、金属製の支持用ブラケット８のブラケット本体８Ａに電源線３９を通すために設けた孔３４に、支持用ブラケット８の材料である金属よりも軟質のゴムや合成樹脂等の材料で形成された短寸の案内部材８３を嵌入し、この案内部材８３の内部孔８３Ａに電源線３９を挿通している。
【００８１】
これによると、電源線３９を支持用ブラケット８のブラケット本体８Ａに挿通するときに、この電源線３９が金属製の支持用ブラケット８の孔３４で擦れて損傷することを、案内部材８３により防止することができる。
【００８２】
図１４の実施形態では、金属製の支持用ブラケット８のブラケット本体８Ａに電源線３９を通すために設けた孔３４に、電源線３９の配線方向にしたがって湾曲した湾曲部８４Ａを有している長寸の案内部材８４の一部を嵌入し、止め具８５により、この案内部材８４をブラケット本体８Ａに止めている。
【００８３】
この実施形態によると、案内部材８４の湾曲部８４Ａによる湾曲案内作用により、電源線３９を所定方向に湾曲させて配線することができる。
【００８４】
なお、この案内部材８４は、図１３の案内部材８３と同様に、金属よりも軟質のゴムや合成樹脂等の材料で形成してもよい。
【００８５】
図１５は、図１３及び図１４に示す案内部材８３，８４とは異なるさらなる別実施形態に係る長寸の案内部材８６の長手方向の途中部を破断して斜視図である。図１５に示すように、案内部材８６は、支持用ブラケット８よりも軟質の材料である軟質のゴムや合成樹脂等の材料で形成されており、長手方向全長に渡って開口した部分８６Ａを有する断面略コ字状となっている。また、この案内部材８６の長さ寸法はＬとなっており、この長さ寸法Ｌは、ブラケット本体８Ａの孔３４の周寸法と同じ又は略同じとなっている。
【００８６】
前述した図１３及び図１４に示す案内部材８３，８４と同様に、この案内部材８６の設置は、支持用ブラケット８のブラケット本体８Ａの孔３４に嵌入することにより行われる。
【００８７】
図１６は、案内部材８６を支持用ブラケット８のブラケット本体８Ａの孔３４に嵌入している作業状態を示す斜視図である。この図１６に示すように、案内部材８６の設置作業は、案内部材８６の長手方向の両端部８６Ｃ，８６Ｄのうちの一方の端部８６Ｃの開口した部分８６Ａから孔３４の縁部３４Ａに沿って嵌入し、案内部材８６の長手方向の他方の端部８６Ｄの開口した部分８６Ａが孔３４の縁部３４Ａに嵌入した時点で終了する。上述したように、案内部材８６の長さ寸法Ｌは孔３４の周寸法と同じ又は略同じとなっているため、案内部材８６の長手方向の他方の端部８６Ｄの開口した部分８６Ａが孔３４の縁部３４Ａに嵌入したとき、案内部材８６の長手方向の両端部８６Ｃ，８６Ｄの端面同士が接触した状態又は略接触した状態となる。これにより、孔３４の内周面（孔３４の縁部３４Ａを含む）は、軟質の材料で形成された案内部材８６によって覆われた状態となる。
【００８８】
なお、案内部材８６の設置作業は、案内部材８６の長手方向の両端部８６Ｃ，８６Ｄの端面同士を、開口した部分８６Ａが外向き（言い換えると、底部８６Ｂが内向き）となるように接着し、この案内部材８６を環状（リング状）とした後、この環状となった案内部材８６を変形させながら、開口した部分８６Ａをブラケット本体８Ａの孔３４に縁部３４Ａに嵌入するようにしてもよい。
【００８９】
なお、支持用ブラケット８のブラケット本体８Ａの孔３４に上述した案内部材８３，８４，８６を設けない場合には、支持用ブラケット８のブラケット本体８Ａの孔３４の内周面（孔３４の縁部３４Ａを含む）を滑面とすることが好ましい。
【００９０】
図９及び図１０に示されているように、電動モータ２１Ｃが構成要素となっている開閉機２１の端部２１Ａと、支持用ブラケット８のブラケット本体８Ａとを連結している中間構成体３０は、開閉機２１の側に配設された第１中間物４１と、支持用ブラケット８のブラケット本体８Ａの側に配設された第２中間物４２とからなり、これらの第１及び第２中間物４１，４２が、窓用シャッター装置の正面側（作業者から見て手前側）から工具等で回転させることができるビス等の接続具４３で互いに接続されることにより、開閉機２１の端部２１Ａと支持用ブラケット８のブラケット本体８Ａとが中間構成体３０により連結されている。
【００９１】
図１７には、第１中間物４１を構成するそれぞれの部材５１，５２が示されており、図１８には、第２中間物４２を構成するそれぞれの部材６１〜６３が示されている。さらに、図１９及び図２０には、第１中間物４１の正面図及び側面図が示されており、図２１及び図２２には、第２中間物４２の正面図及び側面図が示されている。
【００９２】
図１７に示されているように、開閉機２１の側の第１中間物４１は、板金製の第１部材５１と第２部材５２により形成されている。板金の打ち抜き品である第１部材５１の全体形状は、前後寸法が小さくて上下寸法が大きい幅狭部５１Ａと、前後寸法が大きくて上下寸法が小さい幅広部５１Ｂとからなる略Ｔ字形状であり、幅狭部５１Ａには凹部５３が形成され、幅広部５１Ｂには孔５４が設けられている。また、板金の折り曲げ品である第２部材５２は、上下方向の中央部に舌片部５２Ｃが設けられている全体形状が略Ｍ字状の部材であり、舌片部５２Ｃよりも上下の部分５２Ａ，５２Ｂに孔５５が形成され、舌片部５２Ｃにも孔５６が形成されている。
【００９３】
図１９及び図２０から分かるように、舌片部５２Ｃが凹部５３の内部に挿入されることにより、第１部材５１と第２部材５２が組み合わせられ、これにより、第１中間物４１が組み立てられた後に、これらの第１部材５１と第２部材５２は溶接により接合される。そして、図１１から分かるように、第１中間物４１は、孔５４，５６に挿入したビス等の止着具５７により、開閉機２１の前述した端部２１Ａの端面に止着される。これにより、図９及び図１０に示されているように、第２部材５２は、第１部材５１から支持用ブラケット８のブラケット本体８Ａの側に突出することになる。
【００９４】
また、図１８に示されているように、支持用ブラケット８のブラケット本体８Ａの側の第２中間物４２は、板金製の第１部材６１と第２部材６２と第３部材６３により形成されており、第２部材６２には、同一寸法及び同一形状のものが上下２個ある。板金の打ち抜き品である第１部材６１の全体形状は円形であり、中央部に大きな四角形の開口部６４が形成されているとともに、この開口部６４のそれぞれの辺部に電動式巻取軸２０の外径方向へ延出する凹部６５が形成され、さらに、４個の凹部６５のうち、前後２個の凹部６５には、前後方向へ延びる細幅状の欠部６６が設けられている。また、第１部材６１には、上下２個の凹部６５よりも外側において、２個の孔６７が設けられているとともに、これらの孔６７よりも前後の箇所であって、第１部材６１の中心部よりも上下の箇所において、合計４個の孔６８が第１部材６１の円周方向に設けられている。
【００９５】
それぞれ板金の打ち抜き品である２個の第２部材６２は、向きが上下逆となっているだけであって、同じ寸法による同じ形状となっているため、図１８の下側の第２部材６２について説明すると、第２部材６２の全体形状は、第１部材６１の円形の外輪郭部６１Ａのうちの一部と同じ円弧状となっている円弧状輪郭部６２Ａの両端が直線状に延びている直線部６２Ｂで繋がれている略三日月形状となっており、この直線部６２Ｂには、下方へ延出する凹部６９が形成されている。そして、第１部材６１よりも小さい面積を有している第２部材６２の厚さ寸法は、図２及び図３で説明した支持用ブラケット８に設けられている軸受け部１０のフランジ部１７となっている第１及び第２突出部１７Ａ〜１７Ｃの厚さ寸法と対応するものになっており、すなわち、第２部材６２の厚さ寸法と、第１及び第２突出部１７Ａ〜１７Ｃの厚さ寸法は、同じになっている。
【００９６】
また、図２３及び図２４に示されているように、第２部材６２の凹部６９の形状は、軸受け部１０の第１突出部１７Ａの形状と対応する四角形となっており、このため、凹部６９の前後寸法（図２４では左右寸法）Ｌ１は、第１突出部１７Ａの前後寸法（図２３では左右寸法）Ｌ２と対応しており、これらの寸法Ｌ１，Ｌ２は同じになっている。なお、凹部６９の上下寸法Ｌ３は、第１突出部１７Ａの上下寸法Ｌ４よりも小さくなっている。
【００９７】
図１８で示す第２中間物４２の第３部材６３は板金の折り曲げ品であり、この第３部材６３の全体形状は、上下方向の寸法を有するウェブ部６３Ａと、このウェブ部６３Ａの上下両端から後方へ延出したフランジ部６３Ｂ，６３Ｃとからなる断面チャンネル形状となっている。また、ウェブ部６３Ａにおける電動式巻取軸２０の軸方向における一方の端部となっているこの巻取軸２０の側の端部には、凹部７０が形成され、この凹部７０の上下に２個のねじ孔７１が形成されている。
【００９８】
以上の第１〜第３部材６１〜６３により第２中間物４２を組み立てるためには、図２１及び図２２から分かるように、上下２個の第２部材６２を、これらの第２部材６２の向きを上下逆にして、第１部材６１の一方の面、すなわち、第１部材６１における支持用ブラケット８のブラケット本体８Ａの側の面に当てるとともに、これらの第２部材６２の円弧状輪郭部６２Ａを、第１部材６１の外輪郭部６１Ａのうちの上下部分と一致させ、第１部材６１に上下２個の第２部材６２をスポット溶接等で結合する。
【００９９】
また、第３部材６３を、第１部材６１の大きな開口部６４のうち、作業者から見て手前側の部分に、第２部材６２が結合された第１部材６１の面とは反対側の面から挿入し、これらの第２部材６２と第３部材６３を溶接等で結合する。
【０１００】
これによって製造された第２中間物４２は、図９及び図１０に示されているように、第３部材６３が、第１部材６１及び第２部材６２から電動式巻取軸２０の側へ突出したものとなっている。
【０１０１】
また、図９及び図１０で示されている中間構成体３０の一部を構成する構成物となっている第２中間物４２には、図１２に示されているように、支持用ブラケット８の軸受け部１０のうち、軸受け部本体１６を挿入することができる開口部が、この第２中間物４２の第１部材６１の大きな開口部６４により形成されていることになり、さらに、第２中間物４２には、軸受け部１０うち、支持用ブラケット８のブラケット本体８Ａに結合されているフランジ部１７の第１突出部１７Ａを収容可能となったフランジ部収容部７５（図１２及び図２２を参照）が、上下２個の第２部材６２のうち、下側の第２部材６２の凹部６９により形成されていることになる。また、第２中間物４２には、フランジ部１７のうち、２個の第２突出部１７Ｂ，１７Ｃを収容可能となったフランジ部収容部７６（図１２及び図２２を参照）が、上下２個の第２部材６２の間の間隔の部分で形成されていることになる。
【０１０２】
以上の第２中間物４２は、図９及び図１０に示されているように、窓用電動式シャッター装置が窓用手動式シャッター装置のときから存在している支持用ブラケット８のブラケット本体８Ａに取り付けられることになる。この取付作業は、上下２個の第２部材６２のうち、下側の第２部材６２の凹部６９により形成されているフランジ部収容部７５に第１突出部１７Ａを収容するとともに、フランジ部収容部７６に２個の第２突出部１７Ｂ，１７Ｃを収容して行い、また、ブラケット本体８Ａに設けられている軸受け部１０の軸受け部本体１６を、第１部材６１に大きく形成されている開口部６４に挿入して行う。
【０１０３】
次いで、図１８で説明した第１部材６１に４個設けられている孔６８のうち、作業者の手前側でかつ上側となっている１個の孔６８に位置決めピン７７（図１２を参照）挿入して、この位置決めピン７７を上側の第２部材６２及びブラケット本体８Ａを貫通させることにより、第２中間物４２をブラケット本体８Ａに位置決め仮固定する。
【０１０４】
なお、このように位置決めピン７７により、第２中間物４２をブラケット本体８Ａに位置決め仮固定する際に、第１部材６１の大きな開口部６４のうち、第３部材６３が挿入されている部分が図１２とは反対側の部分であったために、第２中間物４２の向きを上下逆にしても、また、図４で説明した開閉機２１が電動式巻取軸２０の内部に収納配置されている箇所が、図４で示されているこの巻取軸２０の端部とは反対側の端部であるため、中間構成体３０が図４の右側の支持用ブラケット７の側に配置されることになっていても、位置決めピン７７を挿入できる孔６８は第１部材６１の円周方向に４個設けられているため、作業者は、作業がし易い手前側でかつ上側となっている箇所に設けられている１個の孔６８に位置決めピン７７を挿入することができる。
【０１０５】
以上の作業を行った後に、図１２から分かるように、第１部材６１に上下２個設けられている孔６７のうち、下側の孔６７にリベット等の止着具７８を、第１部材６１に２個設けられている欠部６６にもリベット等の止着具７９をそれぞれ挿入し、止着具７８を第２部材６２及び／又は軸受け部１０の第１突出部１７Ａと、ブラケット本体８Ａとに貫通させ、止着具７９を軸受け部１０の第２突出部１７Ｂ，１７Ｃとブラケット本体８Ａとに貫通させる。これにより、第２中間物４２は、止着具７８，７９により支持用ブラケット８のブラケット本体８Ａに止着されることになる。
【０１０６】
このように第２中間物４２を止着具７８，７９により支持用ブラケット８のブラケット本体８Ａに止着する際にも、第１部材６１の大きな開口部６４のうち、第３部材６３が挿入されている部分が図１２とは反対側の部分であったために、第２中間物４２の向きを上下逆にしても、また、図４で説明した開閉機２１が電動式巻取軸２０の内部に収納配置されている箇所が、図４で示されているこの電動式巻取軸２０の端部とは反対側の端部であるため、中間構成体３０が図４の右側の支持用ブラケット７の側に配置されることになっていても、第１部材６１の孔６７は上下２個あり、欠部６６も前後２個あるため、第２中間物４２を止着具７８，７９により支持用ブラケット８のブラケット本体８Ａに止着する作業を所定どおり行うことができる。
【０１０７】
次いで、電動式巻取軸２０の開口端から突出している開閉機２１の端部２１Ａに取り付けられた第１中間物４１を支持用ブラケット８に近づけ、この第１中間物４１の第２部材５２と、第２中間物４２の第３部材６３の先端部とを、図９〜図１１に示されているように前後方向に重ね合わせ、第１中間物４１の第２部材５２に形成されている２個の孔５５に図９及び図１０で説明したビス等の接続具４３を挿入して、これらの接続具４３を第２中間物４２の第３部材６３に２個形成されているねじ孔７１に螺入して締め付ける。
【０１０８】
これにより、第１中間物４１と第２中間物４２は接続され、この接続により形成される中間構成体３０により、電動式巻取軸２０の内部に収納されている開閉機２１と、支持用ブラケット８のブラケット本体８Ａとが連結されることになる。
【０１０９】
以上において、第１中間物４１の第２部材５２と、第２中間物４２の第３部材６３は、図１０に示されているように、これらの中間物４１，４２における前後方向の中央部よりも作業者の側となっている手前側に配置されているため、接続具４３による第１及び第２中間物４１，４２の接続作業を容易に行うことができる。
【０１１０】
そして、本実施形態では、第２中間物４２の構成部材となっている第１部材６１についての電動式巻取軸２０の直径方向の寸法が、図９及び図１０に示されているＤ１となっており、この寸法Ｄ１は、中間構成体３０を構成する部材のそれぞれの寸法のうちで最大の寸法となっているが、この寸法Ｄ１は、電動式巻取軸２０の直径寸法Ｄ２よりも小さくなっている。また、この直径寸法Ｄ２を支持用ブラケット８の側へ延長した延長直径寸法の内側に中間構成体３０が入るように、支持用ブラケット８における中間構成体３０の配置位置が設定されている。
【０１１１】
このため、図５で示した電動用シャッターカーテン３１を構成するスラット３２が、前述したように、シャッターケース５の内部において左右方向にスライドするおそれがあるものとなっていて、このスライドが実際に生じても、言い換えると、シャッターカーテン３１を構成するシャッターカーテン構成部材が、電動式巻取軸２０に左右方向にずれて巻き取られても、このずれたシャッターカーテン構成部材が中間構成体３０に干渉することはなく、したがって、巻取軸２０によるシャッターカーテン３１による円滑な巻き取り、繰り出しを確保することができる。
【０１１２】
また、上述の寸法Ｄ１を有している第１部材６１は、第２中間物４２の板状となっている第２部材６２を介して支持用ブラケット８のブラケット本体８Ａに結合されており、この第１部材６１は巻取軸２０から大きく離れた箇所に配置されているため、左右方向にスライドしたスラット３２の端部が下方に撓むことがあっても、中間構成体３０と干渉することを防止できる。
【０１１３】
なお、シャッターカーテン構成部材が電動式巻取軸２０に左右方向にずれて巻き取られても、中間構成体３０と干渉しない又は実質的に干渉するおそれがなければ、中間構成体３０を構成する部材となっている箇所又は中間構成体３０の一部となっている箇所についての寸法を、電動式巻取軸２０の直径寸法Ｄ２よりも大きくし、かつこの箇所を上述の延長直径寸法の内側に入らないようにしてもよい。これについての一例は、巻取軸２０から大きく離れていて、支持用ブラケット８のブラケット本体８Ａに近い箇所に配置されている第１部材６１及び第２部材６２の寸法を、電動式巻取軸２０の直径寸法Ｄ２よりも大きくし、かつ第１部材６１及び第２部材６２が上述の延長直径寸法の内側に入らないようにすることである。
【０１１４】
また、上述した電動式巻取軸２０の直径寸法Ｄ２とは、電動用シャッターカーテン３１の上端が吊り元部材を介して電動式巻取軸２０の外周面に結合されているなど場合には、この吊り元部材等のャッターカーテン３１や電動式巻取軸２０に設けられている付属部材を含む寸法である。
【０１１５】
また、電動式巻取軸２０の直径寸法Ｄ２は、電動用シャッターカーテン３１の上端に、この電動用シャッターカーテン３１が全閉位置まで閉じ移動したときでも、電動式巻取軸２０に巻かれている捨て巻きの部分がある場合には、この捨て巻きの部分を含む寸法であり、さらに、電動用シャッターカーテン３１の上端に、電動用シャッターカーテン３１が全閉位置まで閉じ移動したときに、電動式巻取軸２０から繰り出される部分であっても、この繰り出される部分が、電動式巻取軸２０に左右方向にずれるおそれのない部分となっている場合には、この部分を含む寸法である。
【０１１６】
また、本実施形態では、第２中間物４２の構成部材となっている第１部材６１に形成されている開口部６４は、支持用ブラケット８のブラケット本体８Ａに設けられている既存の軸受け部１０を構成する軸受け部本体１６とフランジ部１７とのうち、軸受け部本体１６だけを挿入できる大きさとなっているため、この開口部を軸受け部本体１６とフランジ部１７との両方を挿入できる大きさとした場合と比較すると、開口部６４の大きさを小さくすることができ、このため、第１部材６１の強度や、この第１部材６１が構成要素となっている第２中間物４２の強度、さらには、この第２中間物４２が構成要素となっている中間構成体３０の強度を充分に大きくすることができる。
【０１１７】
また、本実施形態では、既存の軸受け部１０の軸受け部本体１６は、第２中間物４２の第１部材６１の開口部６４に挿入され、この軸受け部１０におけるブラケット本体８Ａに結合されているフランジ部１７となっている第１突出部１７Ａは、第２中間物４２の第２部材６２の凹部６９によりブラケット本体８Ａとの間で形成されているフランジ部収容部７５に収容されており、また、軸受け部１０の別のフランジ部１７となっている２個の第２突出部１７Ｂ，１７Ｃは、第２中間物４２の上下２個の第２部材６２の間の間隔によりブラケット本体８Ａとの間で形成されているフランジ部収容部７６に収容されているため、開閉機２１と支持用ブラケット８のブラケット本体８Ａとを連結する中間構成体３０は、既存の軸受け部１０に邪魔されないで、これらの開閉機２１と支持用ブラケット８のブラケット本体８Ａとの間に介入されていることになる。
【０１１８】
また、図２３及び図２４で示した寸法Ｌ１と寸法Ｌ２は同じあるため、図２３で示されている軸受け部１０のフランジ部１７のうち、第１突出部１７Ａの下端１７Ｅに、第２中間物４２の構成部材となっている第２部材６２の凹部６９の下端６９Ａを当接させることにより、第１突出部１７Ａをフランジ部収容部７５に収容すると、第２中間物４２及び中間構成体３０は支持用ブラケット８に対して上下方向と前後方向に位置決めされることになり、このため、この位置決めにより、電動式巻取軸２０を、左右一対の支持用ブラケット７，８の間に、上下方向と前後方向の所定位置にして配置することができることになり、これにより、この巻取軸２０の高度の水平精度等を確保することができる。
【０１１９】
また、本実施形態の第２中間物４２には、上下２個の第２部材６２が上下の向きを逆にして設けられ、これらの第２部材６２は、同一寸法で同一形状の凹部６９が形成された同じものとなっているため、これらの第２部材６２により、中間構成体３０の一部を構成する構成物となっている第２中間物４２を上下逆転して使用できるようになっている。
【０１２０】
このため、第２中間物４２には上下の区別がなく、したがって、この第２中間物４２を支持用ブラケット８のブラケット本体８Ａに結合する際に、上下を気にすることなくこの結合作業を容易に行える。
【０１２１】
図２５は、支持用ブラケット８のブラケット本体８Ａに、軸受け部１０とは形状等が異なる軸受け部１１０が設けられている場合を示す。この軸受け部１１０も、軸受け部本体１１６と、軸受け部本体１１６におけるブラケット本体８Ａの側から巻取軸の外径方向に突出しているフランジ部１１７とからなる。そして、軸受け部本体１６は、下方へ湾曲突出している底部１１６Ａと、底部１６Ａの両端から立ち上がった立上部１１６Ｂ，１１６Ｃとを有し、全体的に上向きに開口した形状になっている。また、ブラケット本体８Ａに結合されているフランジ部１１７は、軸受け部本体１６の下部から下方へ突出する第１突出部１１７Ａと、軸受け部本体１１６の両側部から水平方向又は略水平方向に突出する２個の第２突出部１１７Ｂ，１１７Ｃとからなる。
【０１２２】
この軸受け部１１０の第１突出部１１７Ａの前後寸法Ｌ６及び上下寸法Ｌ８は、図２３で示した軸受け部１０の第１突出部１７Ａの前後寸法Ｌ２及び上下寸法Ｌ４と異なっているため、これらの突出部１７Ａ、１１７Ａの形状は相違している。
【０１２３】
図２６には、図２５の軸受け部１１０に適用される第２中間物４２の第２部材１６２が示されている。この第２部材１６２に形成されている凹部１６９の前後寸法Ｌ５は、第１突出部１１７Ａの前後寸法Ｌ６と対応しているため、これらの寸法Ｌ５，Ｌ６は同じになっている。また、凹部１６９の上下寸法Ｌ７は、第１突出部１１７Ａの上下寸法Ｌ８よりも小さくなっている。
【０１２４】
この実施形態によると、支持用ブラケット８に設けられている軸受け部が軸受け部１０となっている場合には、第２中間物４２を構成する第２部材として用意されている部材６２と部材１６２のうち、部材６２を選択して用いればよく、また、支持用ブラケット８に設けられている軸受け部が軸受け部１１０となっている場合には、部材１６２を選択して用いればよい。そして、いずれの場合にも、第２中間物４２を、第１部材６１及び第３部材を共通部材として用いて製造することができるため、用意しなければならない部材種類の削減、製造コストの低減を達成することができる。
【０１２５】
図２７と図２８は、図４、図７及び図８で示した切替部材３５を支持用ブラケット７に設けた孔３６に通すことに関する別実施形態を示している。
【０１２６】
図２７の実施形態では、金属製の支持用ブラケット７のブラケット本体７Ａに切替部材３５を通すために設けた孔３６に、支持用ブラケット７の材料である金属よりも軟質のゴムや合成樹脂等の材料で形成された短寸の案内部材８０を嵌入し、この案内部材８０の内部孔８０Ａに切替部材３５を挿通している。
【０１２７】
これによると、切替部材３５が前述したように引っ張り操作されても、この切替部材３５が金属製の支持用ブラケット７の孔３６で擦れて損傷することを、案内部材８０により防止することができる。
【０１２８】
図２８の実施形態では、金属製の支持用ブラケット７のブラケット本体７Ａに切替部材３５を通すために設けた孔３６に、切替部材３５の配線方向にしたがって湾曲した湾曲部８１Ａを有している長寸の案内部材８１の一部を嵌入し、止め具８２により、この案内部材８１をブラケット本体７Ａに止めている。
【０１２９】
この実施形態によると、案内部材８１の湾曲部８１Ａによる湾曲案内作用により、切替部材３５を所定方向に湾曲させて配線することができる。
【０１３０】
なお、この案内部材８１は、図２７の案内部材８０と同様に、金属よりも軟質のゴムや合成樹脂等の材料で形成してもよい。
【０１３１】
なお、支持用ブラケット７のブラケット本体７Ａの孔３６に上述した案内部材８０，８１を設けない場合には、支持用ブラケット７のブラケット本体７Ａの孔３６の内周面（孔３６の縁部を含む）を滑面とすることが好ましい。
【０１３２】
以上説明した電動式シャッター装置の各実施形態では、支持用ブラケット７のブラケット本体７Ａの軸受け部９と、支持用ブラケット８のブラケット本体８Ａの軸受け部１０は、共に手動式巻取軸６を受けていた既存の軸受け部であったが、これらの軸受け部９，１０は、既存の軸受け部を交換した新たな軸受け部としてもよい。
【０１３３】
次に、手動式巻取軸６を電動式巻取軸２０に改修するためのシャッター装置の改修方法の一実施形態を詳細に説明する。
【０１３４】
まず、図１に示されているシャッターケース５の本体５Ａのうちの少なくとも下面部（底面部）と、左右一対のガイドレール４を取り外す作業工程を実施する（作業を行う）。
【０１３５】
次に、上端が手動式巻取軸６に連結されている図１に示されている手動式シャッターカーテン３を、手動式巻取軸６から取り外す作業工程を実施する。
【０１３６】
この後、左右一対の支持用ブラケット７，８に設けられている軸受け部９，１０で支持されている手動式巻取軸６を、軸受け部９，１０から取り外す作業工程を実施する。
【０１３７】
次に、図５に示す残された右側の支持用ブラケット７のブラケット本体７Ａに、電動式巻取軸２０における支持用ブラケット７の側の端部を形成している中心軸２５の軸端部２５Ａから導出される切替部材３５を挿通するための図７及び図８に示す孔３６を形成する作業工程と、図５、図９及び図１０に示す残された左側の支持用ブラケット８のブラケット本体８Ａに、電動式巻取軸２０における支持用ブラケット８の側の端部を形成している開閉機２１の支持用ブラケット８の側の端部２１Ａから導出される電源線３９を挿通するための図９及び図１０に示す孔３４を形成する作業工程を実施する。なお、ブラケット本体７Ａに孔３６を形成する作業工程とブラケット本体８Ａに孔３４を形成する作業工程は、複数の作業者により同時に実施されるようにしてもよく、少なくとも１人の作業者により、孔３６を形成する作業工程と孔３４を形成する作業工程のうちのいずれか一方の作業工程が先に実施され、この後、他方の作業工程が実施されるようにしてもよい。
【０１３８】
この後、上記作業工程の実施により支持用ブラケット７，８に形成した孔３６，３４に、電動式巻取軸２０から導出される切替部材３５及び電源線３９を案内するための前述した図１３〜図１５に示す案内部材８３，８４，８６のいずれかを嵌入する作業工程を実施する。
【０１３９】
次に、図５に示すシャッターケース５の蓋部材５Ｂに切替部材３５を挿通するための図示されない孔を形成する作業工程と、シャッターケース５の蓋部材５Ｃに電源線３９を挿通するための図示されない孔を形成する作業工程を実施する。なお、蓋部材５Ｂに孔を形成する作業工程と蓋部材５Ｃに孔を形成する作業工程も、複数の作業者により同時に実施されるようにしてもよく、少なくとも１人の作業者により、蓋部材５Ｂに孔を形成する作業工程と蓋部材５Ｃに孔を形成する作業工程のうちのいずれか一方の作業工程が先に実施され、この後、他方の作業工程が実施されるようにしてもよい。
【０１４０】
この後、上記作業工程の実施によりシャッターケース５の蓋部材５Ｂ，５Ｃに形成した図示されない孔に、電動式巻取軸２０から導出される切替部材３５及び電源線３９を案内するための前述した図１３〜図１５に示す案内部材８３，８４，８６のいずれかを嵌入する作業工程を実施する。
【０１４１】
次に、図１０に示すように、開閉機２１の端部２１Ａと、支持用ブラケット８のブラケット本体８Ａとを連結するための中間構成体３０を構成する第２中間物４２（図２１も参照）を、支持用ブラケット８のブラケット本体８Ａに取り付ける作業工程と、中間構成体３０を構成する図１９及び図２０に示す第１中間物４１を、電動式巻取軸２０の開閉機２１の端部２１Ａに取り付ける作業工程と、を実施する。なお、この第１中間物４１を電動式巻取軸２０の開閉機２１の端部２１Ａに取り付ける作業工程は、シャッター装置の設置場所である現場ではなく、予め工場で実施するようにしてもよい。
【０１４２】
この後、切替部材３５及び電源線３９が導出されている電動式巻取軸２０を、高さ位置が支持用ブラケット７，８の軸受け部９，１０の上端の高さ位置よりも若干上の高さ位置となるまで、水平に持ち上げる作業工程を実施する。
【０１４３】
次に、電動式巻取軸２０から導出されている切替部材３５を、支持用ブラケット７のブラケット本体７Ａに形成した孔３６と、シャッターケース５の蓋部材５Ｂに形成した孔とに挿通するとともに（言い換えると、挿通した後に）、電動式巻取軸２０における支持用ブラケット７の側の端部を形成している中心軸２５の軸端部２５Ａを、支持用ブラケット７のブラケット本体７Ａに設けられている軸受け部９の軸受け部本体１８の底部１８Ａに載置させる作業工程を実施する。
【０１４４】
この作業工程の後、又はこの作業工程と同時に、電動式巻取軸２０から導出されている電源線３９を、支持用ブラケット８のブラケット本体８Ａに形成した孔３４と、シャッターケース５の蓋部材５Ｃに形成した孔とに挿通するとともに（言い換えると、挿通した後に）、電動式巻取軸２０における支持用ブラケット７の側の端部を形成している開閉機２１の端部２１Ａに取り付けた第１中間物４１を、支持用ブラケット８のブラケット本体８Ａに取り付けた第２中間物４２に、図９及び図１０に示すビス等の接続具４３により接続（連結）する作業工程を実施する。
【０１４５】
次に、軸受け部９の軸受け部本体１８の底部１８Ａに載置させた電動式巻取軸２０の中心軸２５の軸端部２５Ａを、ボルト１４とナット１５で軸受け部９の軸受け部本体１８に固定する作業工程を実施する。なお、この作業工程は、第１中間物４１を第２中間物４２に接続する上記作業工程と同時に実施するようにしてもよい。
【０１４６】
以上の作業工程の実施により、電動式巻取軸２０は、支持用ブラケット７，８に支持された状態となる。
【０１４７】
この後、電動式巻取軸２０に電動用シャッターカーテン３０の上端を取り付ける作業工程を実施し、次いで、前述した最初の作業工程で取り外したシャッターケース５の本体５Ａのうちの少なくとも下面部（底面部）と、左右一対のガイドレール４を取り付ける作業工程を実施する。なお、電動式巻取軸２０に電動用シャッターカーテン３０の上端を取り付ける作業工程は、予め工場において実施されるようにしてもよい。すなわち、電動式巻取軸２０は、電動用シャッターカーテン３０が巻き取られた状態で現場に搬入されるようにしてもよい。
【０１４８】
また、シャッターケース５の蓋部材５Ｂに形成した孔から導出させた切替部材３５を図５に示すように配線する作業工程、この切替部材３５の終端部に引張操作部材３８を連結する作業工程、及びシャッターケース５の蓋部材５Ｃに形成した孔から導出させた電源線３９を図５に示すように配線する作業工程を実施する。これらの配線作業が終了した後は、蓋部材５Ｂ，５Ｃにキャップ部材３７，４０を取り付ける作業工程を実施する。
【０１４９】
以上で、手動式巻取軸６を電動式巻取軸２０に改修するためのシャッター装置の改修作業は終了する。
【０１５０】
なお、シャッターケース５の下面部（底面部）を取り外す作業工程を実施するタイミングは、手動式巻取軸６を取り外す作業工程を実施する前であれば作業工程の利便性を考慮して任意であり、シャッターケース５の下面部（底面部）を取り付ける作業工程を実施するタイミングも、電動式巻取軸６を取り付ける作業工程を実施した後（好ましくは、さらに紐状部材である切替部材３５と電源線３９を孔に挿通する作業工程を実施した後）であれば作業工程の利便性を考慮して任意である。
【０１５１】
以上説明した本実施形態に係るシャッター装置の改修方法では、残された左右一対の支持用ブラケット７，８のブラケット本体７Ａ，８Ａに、電動式巻取軸２０から導出される切替部材３５、電源線３９を挿通するための孔３６，３４を形成する作業工程は、手動式巻取軸６をブラケット本体７Ａ，８Ａの軸受け部９，１０から取り外す作業工程の後であって、電動式巻取軸２０をブラケット本体７Ａ，８Ａに支持させる作業工程の前に実施するようになっている。
【０１５２】
これにより、作業者は、手動式巻取軸６及び電動式巻取軸２０が存在しないブラケット本体８Ａとブラケット本体７Ａとの間の広い空間で、孔３６，３４を形成する作業を円滑に（言い換えると、容易に）行うことができる。
【０１５３】
すなわち、本実施形態によると、電動式巻取軸２０をブラケット本体８Ａ，７Ａに支持させる作業工程を実施した後に、孔３６，３４をブラケット本体８Ａ，７Ａに形成する作業工程を実施する場合と比較して、電動式巻取軸２０に邪魔されることなく、孔３６，３４の形成作業を円滑に行うことができる。
【０１５４】
また、本実施形態では、電動式巻取軸２０から導出されている切替部材３５を、ブラケット本体７Ａに形成した孔３６と、蓋部材５Ｂに形成した孔とに挿通するとともに、電動式巻取軸２０の中心軸２５の軸端部２５Ａを、ブラケット本体７Ａに設けられている軸受け部９の軸受け部本体１８の底部１８Ａに載置させる作業工程を実施し、この後、電動式巻取軸２０から導出されている電源線３９を、ブラケット本体８Ａに形成した孔３４と、蓋部材５Ｃに形成した孔とに挿通するとともに、電動式巻取軸２０の開閉機２１の端部２１Ａに取り付けた第１中間物４１を、ブラケット本体８Ａに取り付けた第２中間物４２に、ビス等の接続具４３により接続する作業工程を実施するようになっている。
【０１５５】
ここで、電動式巻取軸２０から導出されている切替部材３５、電源線３９を、ブラケット本体７Ａ，８Ａの孔３６，３４と、蓋部材５Ｂ，５Ｃの孔とに挿通する作業工程を、電動式巻取軸２０をブラケット本体７Ａ，８Ａに支持させる作業工程の後に実施するものとした場合には、電動式巻取軸２０とブラケット本体７Ａ，８Ａとの間の狭い空間で、切替部材３５、電源線３９を孔に挿通する作業を行わなければならず、作業の円滑化が図れない。
【０１５６】
しかし、本実施形態では、電動式巻取軸２０から導出されている切替部材３５、電源線３９を、ブラケット本体７Ａ，８Ａの孔３６，３４と、蓋部材５Ｂ，５Ｃの孔とに挿通する作業工程と、電動式巻取軸２０をブラケット本体７Ａ，８Ａに支持させる作業工程と、を同時に実施するようになっている。
【０１５７】
このため、本実施形態によると、電動式巻取軸２０から導出されている切替部材３５、電源線３９を、ブラケット本体７Ａ，８Ａの孔３６，３４と、蓋部材５Ｂ，５Ｃの孔と挿通する作業工程を、電動式巻取軸２０をブラケット本体７Ａ，８Ａに支持させる作業工程の後に行うものとした場合と比較して、作業の円滑化を図ることができる。言い換えると、作業の効率化（作業時間の短縮化）を図ることができる。
【０１５８】
以上説明したように、本実施形態によると、手動式巻取軸６を、紐状部材である電源線３９及び切替部材３５が設けられている電動式巻取軸２０に改修する作業が円滑に行えるようになる。
【０１５９】
なお、以上説明した本実施形態に係る改修方法は一例であり、これに限定されるものではない。
【産業上の利用可能性】
【０１６０】
本発明は、シャッターカーテンの少なくとも一部が複数のスラットの連設で形成されている窓用シャッター装置や出入口用シャッター装置を含む各種のシャッター装置に利用することができる。
【符号の説明】
【０１６１】
３  手動用シャッターカーテン
６  手動式巻取軸
７，８  支持用ブラケット
９，１０  軸受け部
３４，３６  支持用ブラケットに形成された孔
２０  電動式巻取軸
２１  開閉機
２１Ａ  電動式巻取軸の一方の端部を構成する開閉機の端部
２１Ｃ  電動モータ
２１Ｄ  ブレーキ
２５Ａ  電動式巻取軸の他方の端部
３１  電動用シャッターカーテン
３５  紐状部材である切替部材
３９  紐状部材である電気線
８０，８１，８３，８４，８６  案内部材
８０Ａ，８３Ａ  案内部材の内部孔
８１Ａ，９４Ａ  湾曲部
８２，８５  止め具
８６Ａ  案内部材の開口した部分
【図１】
2012251332.tif 000003
【図２】
2012251332.tif 000004
【図３】
2012251332.tif 000005
【図４】
2012251332.tif 000006
【図５】
2012251332.tif 000007
【図６】
2012251332.tif 000008
【図７】
2012251332.tif 000009
【図８】
2012251332.tif 000010
【図９】
2012251332.tif 000011
【図１０】
2012251332.tif 000012
【図１１】
2012251332.tif 000013
【図１２】
2012251332.tif 000014
【図１３】
2012251332.tif 000015
【図１４】
2012251332.tif 000016
【図１５】
2012251332.tif 000017
【図１６】
2012251332.tif 000018
【図１７】
2012251332.tif 000019
【図１８】
2012251332.tif 000020
【図１９】
2012251332.tif 000021
【図２０】
2012251332.tif 000022
【図２１】
2012251332.tif 000023
【図２２】
2012251332.tif 000024
【図２３】
2012251332.tif 000025
【図２４】
2012251332.tif 000026
【図２５】
2012251332.tif 000027
【図２６】
2012251332.tif 000028
【図２７】
2012251332.tif 000029
【図２８】
2012251332.tif 000030